(57)【要約】      （修正有）【課題】幼児の体全体を空調用空気流などから効果的に保護することができること、チャイルドシートへの着脱性に優れている幼児用保護カバーを提供する。【解決手段】チャイルドシートＣに装着されて、車内空調用気流などから幼児Ｂを保護するように幼児Ｂを覆う幼児用保護カバーＡであって、チャイルドシートＣのシート部Ｃ１を略完全に覆う程度の大きさに形成されているカバー本体１と、このカバー本体１の外周縁に沿って取り付けられて、カバー本体１をシート部Ｃ１に装着するときに、該シート部Ｃ１の外表面に沿わせてカバー本体１を締付け保持する伸縮部材を備えている。また、カバー本体１は、シート部Ｃ１の背凭れ部１２の上部側に位置する部位に、幼児Ｂの顔を覗かせる開口部３を備え、さらに、開口部３が開口するシート部Ｃ１の背凭れ部１２の上部側から座部１１に至る範囲で、開口部３に連なる開閉部４を備えている。【選択図】図１
0003162081.tif 000002
【実用新案登録請求の範囲】
【請求項１】
チャイルドシートに装着されて幼児を覆う幼児用保護カバーであって、
前記チャイルドシートのシート部を略完全に覆う程度の大きさに形成されているカバー本体と、
このカバー本体の外周縁に沿って取り付けられて、前記カバー本体を前記シート部に装着するときに、該シート部のシート外表面に沿わせて締付け保持する伸縮部材と、を備え、
前記カバー本体は、前記背凭れ部の上部側に位置する部位に開口部を備えていることを特徴とする幼児用保護カバー。
【請求項２】
前記カバー本体は、前記開口部が開口する前記背凭れ部の上部側から前記座部に至る範囲で、前記開口部に繋がる開閉部を備えていることを特徴とする請求項１に記載の幼児用保護カバー。
【考案の詳細な説明】
【技術分野】
【０００１】
本考案は、チャイルドシードに着座、寝かせた幼児を、車内の空調用空気流や紫外線などから保護するために、チャイルドシートに装着されて使用される幼児用保護カバーに関する。
【背景技術】
【０００２】
車両用シートに前向きの状態や後向きの状態で装着されるチャイルドシードに着座、寝かせた幼児を、車内空調用空気流（暖気や冷気など）から保護するために、バスタオル、膝掛け、小さな毛布その他の嵩張らない布地を掛ける。特に、車内空調用空気流に対する抵抗力（体力）が十分に得られるまでに成長していない新生児から１歳児ごろまでの幼児が体調を崩さないようにバスタオル、膝掛けなどを掛けて保護することが行われている。
【０００３】
ところで、一般に市販されているバスタオルや膝掛けなどは、着座、寝かせた幼児に掛けた状態でチャイルドシートに固定することができないために、幼児が動く、或いは走行中の振動などによってずり落ちてしまことがある。
【０００４】
そこで、ずり落ちることなく、チャイルドシートに着座、寝かせた幼児を空調用空気流などから保護する膝掛けを備えた保護カバーが提案されている（例えば、特許文献１などを参照）。
この保護カバーは、チャイルドシートに寝かせた幼児の足元から肩をすっぽりと覆うことができる程度の大きさに形成されている。そして、保護カバーは、チャイルドシートに取り付け装着される別途シートカバーに結び付けるための紐を備えている。
これにより、保護カバーは、シートカバーへの結び付け連結によりずり落ちることを防ぎ、チャイルドシートに寝かせた幼児を空調用空気流などから保護するように足元から肩までをすっぽりと覆うことができるようになっている。
【先行技術文献】
【特許文献】
【０００５】
【特許文献１】特開２００１−１６３０９２号（図５〜図７などを参照）
【考案の概要】
【考案が解決しようとする課題】
【０００６】
しかしながら、特許文献１に記載されている従来技術では、新生児から１歳児ごろまでの幼児の体全体を空調用空気流などから十分に、かつ、効果的に保護することができない。
また、紐を用いた結び付けによるずり落ち防止（チャイルドシートへの装着）であることから、チャイルドシートに対する着脱性が悪いなどの取扱い性の面においても改善の余地が残されていた。
【０００７】
そこで、本考案は、前記課題を解消するために創案されたものであり、幼児の体全体を空調用空気流などから効果的に保護することができること、チャイルドシートへの着脱性に優れていること、などを目的とする。
【課題を解決するための手段】
【０００８】
前記課題を解決するために、本考案では、チャイルドシートに装着されて幼児を覆う保護カバーであって、
前記チャイルドシートの座部と背凭れ部とからなるシート部を略完全に覆う程度の大きさに形成されているカバー本体と、このカバー本体の外周縁に沿って取り付けられて、前記カバー本体を前記シート部に装着するときに、該シート部の外表面に沿わせて締付け保持する伸縮部材とを備え、前記カバー本体は、前記背凭れ部の上部側に位置する部位に、幼児の顔を外部に覗かせるための開口部を備えている。
ここで、前記カバー本体は、前記開口部が開口する前記背凭れ部の上部側から前記座部に至る範囲で、前記開口部に連なる開閉部を備えていることが好適なものとなる。
【０００９】
このような構成によれば、シート部に装着するとき、シート部全体を覆うように伸縮部材を伸ばしてカバー本体を大きく広げた状態でシート部の外表面に伸縮部材を沿わせることで、伸縮部材による締め付けによってシート部に取り付け装着される。このとき、開口部が開口するカバー本体の一方側を、シート部の背凭れ部に掛け、つぎに、カバー本体の他方側をシート部の座部に掛ける手順にて行うことができる。これにより、シート部に着座、寝かせられた新生児から１歳児ごろまでの幼児の体全体は開口部を除くカバー本体によって覆われる。
そして、幼児をシート部に乗せるときやシート部から降ろすときなどには、開口部から連ねて設けられている開口部を開くことで、カバー本体をシート部から取り外すことなく行うことができる。
【考案の効果】
【００１０】
本考案の幼児用保護カバーによれば、カバー本体に備えられている伸縮部材を延ばし、カバー本体を大きく広げた状態でチャイルドシートのシート部に取り付けることができる。そして、幼児をシート部に乗せるときやシート部から降ろすときなどには、開口部から連ねて設けられている開口部からカバー本体を大きく開いた状態で行うことができる。
これにより、シート部への着脱性に優れているなどの取扱い性の向上が図られた幼児用保護カバーを提供することができる。
【００１１】
また、シート部に着座、寝かせられた幼児の体全体を、開口部を除くカバー本体によって略完全に覆うことができるので、新生児から１歳児ごろまでの幼児の体全体を車内の空調用空気流などから効果的に保護することができる。
【図面の簡単な説明】
【００１２】
【図１】本考案の本実施形態に係る幼児用保護カバーを装着させたチャイルドシートの一例を示す斜視図である。
【図２】伸縮部材を伸ばして同幼児用保護カバーを展開させた状態で示す斜視図である。
【考案を実施するための形態】
【００１３】
以下、本考案の実施形態について、適宜図面を参照しながら詳細に説明する。
図１は、本実施形態に係る幼児用保護カバーを装着させたチャイルドシートの一例を示す斜視図である。
なお、本実施形態に係る幼児用保護カバー（以後、単に「保護カバー」と称する)Ａが適用されるチャイルドシートＣの形態、そして図示省略の車両用シートに対してシート部が前向きの状態あるいは後向きの状態で設置されるなど、特に限定されるものでない。
例えば、車両用シートに図示省略のシートベルト（腰ベルト）によって取り付けられる受台の上に、座部と背凭れ部からなるシート部が、前向き、後向き、そして側方向きに回転可能で、なおかつ、角度調整可能に支持されているタイプのチャイルドシート、或いは、シート部の背面に沿うように形成されている受台の上にシート部が角度調整可能に支持されていて、受台とともにシート部がシートベルトによって車両用シートに取り付けられるタイプのチャイルドシートなど、を挙げることができる。
【００１４】
≪保護カバーの構成≫
図２は、本実施形態に係る幼児用保護カバーを展開させた状態で示す斜視図である。
保護カバーＡは、チャイルドシートＣに着座、そして寝かせられた幼児Ｂを、車内の空調用空気流（暖気や冷気など）などから保護するためにチャイルドシートＣに装着されて使用されるものである。
この保護カバーＡは、図１および図２に示すように、チャイルドシートＣの座部１１と背凭れ部１２とからなるシート部Ｃ１を略完全に覆う程度の大きさに形成されているカバー本体１と、このカバー本体１の外周縁に沿って取り付けられる伸縮部材２とを備えて構成されている。
また、保護カバーＡは、チャイルドシートＣに装着された状態で、背凭れ部１２の上部側に位置する部位に開口部３を備えている。さらに、開口部３からシート部Ｃ１の座部１１に至る範囲で、シート部Ｃ１の幅方向（図１紙面左右方向）に開く、閉じるように開閉部４を備えている。
【００１５】
≪カバー本体の構成≫
カバー本体１は、ＵＶ加工処理が施されているなどの適宜の素材、例えば、ＵＶ加工処理が施された布地などを用いてシート部Ｃ１全体を略完全に覆うことができる程度の大きさ（形状）に裁断するなどによって形成されている。
このように、カバー本体１は、ＵＶ加工処理が施されている素材から形成されていることで、車窓から入り込む直射日光の遮光、そして紫外線は、ＵＶ加工処理が成されているカバー本体１によって遮断、所謂ＵＶカットされる。つまり、シート部Ｃ１の幼児Ｂを直射日光や紫外線から保護することができる。
【００１６】
また、カバー本体１は、外周縁（裁断縁）に沿わせて折返し縫着されたループ状に連なる外周折返し縁部５を備え、この外周折返し縁部５に伸縮部材２をリング状に挿通させて備えるようにしている。
【００１７】
≪伸縮部材の構成≫
伸縮部材２は、ゴム材などからなる紐体や細長帯体、または、合成樹脂材などから細長コイル状体などからなり、カバー本体１の外周折返し縁部５にリング状に挿通内設されて、カバー本体１をシート部Ｃ１の外表面に沿って締付け取り付けるようになっている。
【００１８】
≪開口部の構成≫
開口部３は、図１に示すように、シート本体部１に、少なくとも幼児Ｂの顔が外部に覗く程度の大きさにて開口されている。そして、開口部３は、開口縁に沿って洋服の襟のように立上げ形成された立上げ部３ａを備えている。
【００１９】
≪開閉部の構成≫
開閉部４は、保護カバーＡをチャイルドシートＣに装着した状態で、幼児Ｂをシート部Ｃ１に載せるときやシート部Ｃ１から降ろすときに開口部３からカバー本体１を大きく開くためのものである。
この開閉部４には、ファスナ（チャック）６が取り付けられていて開閉可能に形成されている。
また、開閉部４の開口部３に連なる部位には、図１および図２に示すように、開閉部４を閉じたときにファスナ６の開閉操作環７を収めておくための保護部８が備えられている。これにより、幼児Ｂが不用意に開閉操作環７に触れられないように安全性が考慮されている。
【００２０】
なお、図示を省略しているが、開閉部４の開閉手段として、ファスナ６に代えてベルベットファスナ（登録商標名：マジックテープ）などを用いることができる。
【００２１】
［作用説明］
つぎに、以上のように構成されている本実施形態に係る保護カバーＡの使用について簡単に説明する。
先ず始めに、保護カバーＡのチャイルドシートＣへの装着について説明すると、伸縮部材２が内設されているカバー本体１の外周折返し縁部５を大きく広げた状態で、なおかつ、開口部３をシート部Ｃ１の背凭れ部１２側に位置させた状態で、該背凭れ部１２側から座部１１側にカバー本体１を被せるように伸縮部材２が挿通されている外周折返し縁部５をシート部Ｃ１の外表面（シート外周裏面）に沿わせることで、カバー本体１を伸縮部材２による締め付けによってシート部Ｃ１に取り付け装着することができる。
【００２２】
そして、幼児Ｂをシート部Ｃ１に乗せるときやシート部Ｃ１から降ろすときなどには、開口部３から連ねて設けられているカバー本体１の開閉部４を開く。これにより、図１に二点鎖線で示すように、背凭れ部１２から座部１１に至る範囲でカバー本体１をシート部Ｃ１のシート幅方向（図１紙面左右方向）に大きく開いた状態で、幼児Ｂをシート部Ｃ１に着座姿勢、寝かせた姿勢で乗せることができ、また、シート部Ｃ１から幼児Ｂを降ろすことができる。
【００２３】
また、本実施形態では、図１に示すように、カバー本体１の外周折返し縁部５における相対する２ヶ所に、図示省略のシートベルトを通すためのベルト通し部９を備えている。
このベルト通し部９は、外周折返し縁部５を縁方向に分断するように、少なくともシートベルトのベルト幅に相当する裁断長さにて裁断し、その裁断縁を縫着処理している。そして、外周折返し縁部５における縫着処理された裁断縁にはホックやボタンなどからなる留め具１０を備えて、両裁断縁を係脱自在に連結し得るようにしている。
これにより、車両用シートに対してチャイルドシートＣが後向きの状態で装着されるときにシート部Ｃ１の背凭れ部１２に架け渡されたシートベルト（肩ベルト）をベルト通し部９にて避けた状態として、カバー本体１をシート部Ｃ１に取り付け装着することができるようにしている。
【符号の説明】
【００２４】
Ａ      幼児用保護カバー
１      カバー本体
２      伸縮部材
３      開口部
４      開閉部
Ｂ      幼児
Ｃ      チャイルドシート
Ｃ１    シート部
１１    座部
１２    背凭れ部
【図１】
0003162081.tif 000003
【図２】
0003162081.tif 000004